(57)【特許請求の範囲】
【請求項１】
段差箇所に用いられるリフターであって、
段差下面に接地されるベースと、該ベース上方に配置された昇降架台と、前記ベースの直上に配設され前記昇降架台を昇降させる昇降機構と、前記昇降架台に取り付けられたキャスターとを有しており、前記昇降機構により上下方向に折り畳み可能であるとともに、折り畳んだ状態で前記キャスターによって走行するリフター本体と、
前記段差下面に設置されており、段差上面の高さレベルに合わせた位置に設けられて前記キャスターをガイドするレールを有している支持台と、が備えられていることを特徴とするリフター。
【発明の詳細な説明】
【技術分野】
【０００１】
本発明は、例えば段差箇所における資材の荷降ろし又は荷揚げに用いられるリフターに関する。
【背景技術】
【０００２】
建築物の梁が逆梁構造になっている場合、梁上面は床面（スラブ上面）よりも高くなっており、段差が生じた状態になっている。上記した建築物の建築工事において、内装資材等を搬送するための仮設エレベータを任意の位置に設置することになるが、逆梁構造の位置に仮設エレベータを設置すると、仮設エレベータは逆梁の上面に着床させることになる。この場合、仮設エレベータから逆梁上面に資材を降ろした後、その資材を逆梁上面から床面へ降ろす必要がある。この荷降ろし作業を、作業員の手作業によって行うと、作業効率が悪く、搬送時間が多く費やされることになる。また、逆梁上面から床面へ仮設のスロープを組み立てて、このスロープによって荷降ろしを行うと、荷を降ろすのに最適な緩い勾配にしなければならないため、距離の長いスロープとなり、場所をとることになる。
【０００３】
そこで、従来は、段差箇所（逆梁の隣り）に、荷降ろしを行うためのリフターを設置し、このリフターによって荷降ろしを行う方法がある。これによって、資材搬送の作業効率を向上させることができ、また、リフターであれば場所をとることもない。段差箇所における資材の搬送に用いられる従来のリフターは、床面に接地されるベースと、その上方に配置された昇降架台と、昇降架台を昇降させる昇降手段とから構成されており、昇降手段は、昇降架台とベースとの間にＸ字状のシザース機構を介装させるとともに、シリンダーでシザース機構を動かす構成になっている（例えば、特許文献１参照。）。
【０００４】
また、近年、段差を乗り越えることができる台車状のリフターが提案されている。このリフターは、資材が載せられる昇降架台と、昇降架台の一端部に鉛直方向に回転可能に取り付けられたキャスター付きの脚柱と、昇降架台の他端部に取り付けられたキャスターと、シザース機構及びシリンダーからなり昇降架台を昇降させる昇降手段とが備えられた構成からなっている。この台車によって資材の荷降ろし作業を行う場合、まず、脚柱が水平に配置され且つシザース機構が折り畳まれて昇降架台が下降された状態の台車を、段差上側の床面上に配置して、昇降架台の上に資材を載置する。次に、昇降架台を段差側（一端側）にスライドさせるとともに、水平状態の脚柱を回動させて鉛直状態にして脚柱下端を段差下側の床面に接地させる。次に、昇降架台を段差側に更にスライドさせることで、折り畳まれたシザース機構を、段差上側の床面から外して段差下側の床面の上方に配置させる。このとき、昇降架台の他端部に取り付けられたキャスターは段差上側の床面に残されており、昇降架台の一端側は脚注で支持され、昇降架台の他端側はキャスターで支持された状態になっている。次に、昇降機構を駆動させてシザース機構を広げて、シザース機構の下端を段差下側の床面に接地させる。次に、昇降架台を更にスライドさせてキャスターを段差上側の床面から外し、その後、昇降機構を駆動させてシザース機構を折り畳み、昇降架台を下降させる。このようにして、段差上側の資材を段差下側に荷降ろしすることができる（例えば、特許文献２参照。）。
【特許文献１】特開平８−２６９４号公報
【特許文献２】特開平１１−３４８７６号公報
【発明の開示】
【発明が解決しようとする課題】
【０００５】
しかしながら、上記した前者の従来のリフターでは、組立（設置）、解体（撤去）に相当の時間を要するため、建築物が複数階からなる複層の建物であって各階に資材をそれぞれ搬送する場合、資材を搬送する各階にそれぞれリフターを設置しなければならず、リフターの台数が増え、コストアップとなる。また、従来のリフターにキャスターを付設した構成では、リフターが段差上側に搬送された場合には、リフターを荷降ろしする必要があり、相当の労力を要する。
【０００６】
また、上記した後者の従来のリフターでは、リフターを設置する作業において、脚柱を段差下側の床面に接地させた状態で昇降架台をスライドさせるとき、シザース機構を広げる前にキャスターが段差上側の床面から外れると、リフターはバランスを崩して転倒することになる。したがって、昇降架台の他端部に取り付けられたキャスターが、段差上側の床面に残されるように相当の注意を払って昇降架台をスライドさせる必要があり、リフターの設置作業が煩雑であるという問題がある。
【０００７】
本発明は、上記した従来の問題が考慮されたものであり、資材の荷降ろし等を行う使用箇所まで容易に移動させることができ、また、設置及び撤去を容易に行うことができる移動式のリフターを提供することを目的としている。
【課題を解決するための手段】
【０００８】
請求項１記載の発明は、段差箇所に用いられるリフターであって、段差下面に接地されるベースと、該ベース上方に配置された昇降架台と、前記ベースの直上に配設され前記昇降架台を昇降させる昇降機構と、前記昇降架台に取り付けられたキャスターとを有しており、前記昇降機構により上下方向に折り畳み可能であるとともに、折り畳んだ状態で前記キャスターによって走行するリフター本体と、前記段差下面に設置されており、段差上面の高さレベルに合わせた位置に設けられて前記キャスターをガイドするレールを有している支持台と、が備えられていることを特徴としている。
【０００９】
このような特徴により、下降状態のリフター本体は、キャスターによって移動可能であるため、使用場所までリフター本体を運ぶ際、リフター本体を自走させることが可能である。
また、リフター本体を段差上側まで移動させた後、リフター本体を、折り畳んだ状態で段差下面に設置された支持台上に移動させ、その後、昇降機構によってリフター本体を広げた状態にしてベースを段差下面に接地させ、最後に、支持台を撤去することで、リフター本体が段差下面に設置される。
また、段差下面に設置されたリフター本体の昇降架台を上昇させ、キャスターと段差下面との間に支持台を介在させた後、昇降機構を駆動させてリフター本体を折り畳んだ状態にし、その後、リフター本体を段差上面に移動させることで、リフター本体が段差下面から段差上側に撤去される。
【発明の効果】
【００１０】
本発明に係るリフターによれば、昇降機構を駆動させるだけで、資材等が載せられた昇降架台が昇降されて資材の荷降ろしや荷揚げ等が行われるため、リフター本体によって荷降ろし等のリフト作業を効率良く行うことができる。また、折り畳んだ状態のリフター本体はキャスターによって移動可能であるため、使用場所までリフター本体を容易に移動させることができる。また、段差上側に搬送されたリフター本体は、段差下面に簡単に設置されるため、容易に設置作業を行うことができる。また、段差下面に設置されたリフター本体は、段差上面に簡単に撤去されるため、容易に撤去作業を行うことができる。
【発明を実施するための最良の形態】
【００１１】
以下、本発明に係るリフターの実施の形態について、図面に基いて説明する。
【００１２】
図１，図２は本実施の形態におけるリフター１を表す側面図である。
図１，図２に示すように、リフター１は、段差箇所Ｘにおける図示せぬ資材の荷降ろしや荷揚げを行うためのものであり、上下方向に折り畳み可能であるとともに折り畳んだ状態で移動可能となるリフター本体２と、リフター本体２を設置・撤去する際に一時的にリフター本体２を支持する支持台３，３とから構成されている。
【００１３】
図３，図４はリフター本体２を表す側面図であり、図５はリフター本体２を表す平面図である。
図３，図４，図５に示すように、リフター本体２は、図示せぬ資材が載せられる昇降架台４と、段差箇所Ｘの下面Ｓ１に接地されるベース５と、昇降架台４を昇降させる昇降機構６と、昇降架台４に取り付けられた複数のキャスター７…とから構成されている。リフター本体２は、図３（ｂ），図４（ｂ）に示すように、昇降架台４が下降された下降状態でキャスター７…により自走可能になっている。
【００１４】
昇降架台４は、ベース５の上方に配置されてベース５に対向する矩形のパネル部材である。昇降架台４の長手方向の両側端部には、長手方向に延在するアオリ部材８，８がそれぞれ取り付けられている。アオリ部材８，８は、鉛直方向に回転可能に取り付けられており、昇降架台４上に資材を載せるときや昇降架台４上の資材を降ろすときには、水平或いはそれよりも下まで回動されている。また、アオリ部材８，８は、鉛直状態で係止可能な構成となっており、昇降架台４を昇降させるときには、アオリ部材８，８は鉛直に立てられて落下止めとなる。
【００１５】
ベース５は、矩形の格子枠部材であり、昇降架台４よりも長手方向および短手方向がそれぞれ小さくなっている。
キャスター７…は、リフター本体２を折り畳んだ状態のときに床面に接地されて床面上を走行するものであり、昇降架台４の短手方向の端部に複数（本実施の形態では２つ）並設されている。また、キャスター７…は、水平方向に回転自在に取り付けられており、キャスター７…により移動可能なリフター本体２は、四方に移動可能になっている。
【００１６】
昇降機構６は、昇降架台４とベース５との間に介装された複数（本実施の形態では２つ）のシザース機構９，９と、シザース機構９，９を動かして昇降架台４を上昇させるシリンダー１０，１０と、昇降架台４とベース５との間に介装されて昇降架台４を下方向に付勢して昇降架台４を下降させるガススプリング１１…と、シリンダー１０，１０を操作する操作部１２とから構成されている。
【００１７】
シザース機構９は、複数（本実施の形態では２つ）のシザース１３，１３を対向させて並べ、対向するシザース１３，１３を、連結材１６を介して連結した構成からなる機構である。シザース１３は、２本のロッド１４，１５をＸ字状に配置してこれらの中央部を鉛直回転自在に連結した構成からなる。また、連結材１６は、対向するシザース１３，１３の各回転軸１３ａ，１３ａ間に架設されており、短手方向に沿って水平に延在されている。ロッド１４，１５の一方側の端部１４ａ，１５ａは、昇降架台４やベース５に鉛直回転自在に取り付けられており、また、ロッド１４，１５の他方側（中央側）の端部１４ｂ，１５ｂは、昇降架台４やベース５に対して水平方向にスライド自在に取り付けられている。また、シザース機構９，９は、リフター本体２の長手方向に複数組（本実施の形態では２組）並設されている。
【００１８】
シリンダー１０は、伸長させる機能だけを有する駆動機構であり、具体的には、駆動させると、シリンダー本体部１０ａ内のピストン部１０ｂが油圧等によって押し出して伸長され、反対に停止させると、油圧が抜かれる等して押し出されたピストン部１０ｂが引き戻し自在となるものである。シリンダー１０は、ベース５の端部側から中央側に傾けて斜め上方に延在されており、シリンダー本体部１０ａの基端部は、ベース５に回転自在に取り付けられ、ピストン部１０ｂの先端部は、連結材１６に回転自在に取り付けられている。また、シリンダー１０，１０は、各シザース機構９，９に対してそれぞれ設けられている。
【００１９】
ガススプリング１１は、筒状のシリンダー部１１ａ内に封入された高圧ガスの反力を利用して、シリンダー部１１ａ内に押し込まれたピストン部１１ｂを押し出し、バネの働きをする付勢部材である。ガススプリング１１は、ベース５の端部側から中央側に傾けて斜め上方に延在されており、シリンダー部１１ａの基端部は、ベース５に回転自在に取り付けられ、ピストン部１１ｂの先端部は、昇降架台４に回転自在に取り付けられている。また、ガススプリング１１…は、リフター本体２の短手方向に複数（本実施の形態では４つ）並設されているとともに、リフター本体２の長手方向に対称的に設けられている。
【００２０】
操作部１２は、昇降架台４の上に載置されており、シリンダー１０，１０の駆動操作を行う操作ボタン１２ａが付設されている。なお、操作部１２は、昇降架台４上以外の位置に配置されていてもよく、その設置位置は適宜変更可能である。
【００２１】
なお、シリンダー１０，１０が駆動してシリンダー本体部１０ａ内のピストン部１０ｂが押し出して伸長されると、シザース１３を構成する２本のロッド１４，１５が水平に重ねられ、図３（ｂ），図４（ｂ）に示すように、リフター本体２は折り畳まれた状態となる。このとき、ガススプリング１１は、ピストン部１１ｂがシリンダー部１１ａ内に押し込まれて縮まった状態になっている。
一方、シリンダー１０，１０が停止されてピストン部１０ａが引き戻し自在となると、ガススプリング１１による昇降架台４とベース５とを離間させる付勢力が働く。これによって、２本のロッド１４，１５が水平に重ねられて折り畳まれた状態のシザース機構９…が、図３（ａ），図４（ａ）に示すように、２本のロッド１４，１５がＸ字状に配置されて広げられた状態になる。
【００２２】
一方、図１，図２に示すように、支持台３，３は、段差箇所Ｘの下面Ｓ１上に設置されてリフター本体２のキャスター７…を支持する台であり、鋼製部材を枠状に組んだ構成からなるフレーム１７と、キャスター７…の走行をガイドするレール１８とから構成されている。フレーム１７は、段差箇所Ｘの高さＨに合わせた高さに形成されており、レール１８は、フレーム１７の上端部に取り付けられて段差箇所Ｘの上面Ｓ２の高さレベルに合わせた位置に配置されている。また、レール１８は、溝形鋼等からなる断面コ字形の長尺部材である。レール１８の一方（段差上側）の端面は、キャスター７…が進入できるように開かれていることを要するが、レール１８の他方の端面は、進入したキャスター７…が落下しないように閉鎖されていることが望ましい。
【００２３】
次に、上記した構成からなるリフター１の使用方法について説明する。
【００２４】
まず、リフター１の設置方法について説明する。
図６はリフター１の設置手順を表した図である。まず、図６（ａ）に示すように、リフター本体２を段差箇所Ｘの上側まで運ぶ工程を行う。具体的には、リフター本体２を仮設エレベータ等の昇降機Ｅに載せて資材の搬入や搬出を行う階まで運ぶ。このとき、昇降機Ｅは、段差箇所Ｘである逆梁Ｇの上面Ｓ２に合わせて着床させる。また、リフター本体２は、図３（ｂ）、図４（ｂ）に示すような、昇降架台４が下降されて折り畳んだ状態になっている。
【００２５】
次に、図１，図６（ｂ）に示すように、資材の搬入等を行う階の段差箇所Ｘの下面Ｓ１に、支持台３，３を設置する工程を行う。具体的には、逆梁Ｇの軸線方向（段差箇所Ｘの延在方向）に直交する方向にレール１８が延在するように、２つの支持台３，３をそれぞれ設置する。このとき、２つの支持台３，３の間隔を、両側のキャスター７…，７…間隔に合わせた間隔にする。また、逆梁Ｇの側面（段差箇所Ｘの立ち上がり面）に横付けした状態で支持台３，３を設置し、段差箇所Ｘの上面Ｓ２とレール１８，１８との間の隙間をできるだけ小さくする。なお、支持台３，３は、各階にそれぞれ置いておいてもよく、或いはリフター本体２とともに運んでもよい。
【００２６】
次に、図１，図６（ｃ）に示すように、折り畳んだ状態のリフター本体２を支持台３，３上まで移動させる工程を行う。具体的には、折り畳んだ状態のリフター本体２をキャスター７…によって逆梁Ｇの上面Ｓ２上を自走させ、さらに、逆梁Ｇの上面Ｓ２上から支持台３，３上まで移動させる。このとき、キャスター７…がレール１８，１８上を走行するようにリフター本体２を移動させる。
【００２７】
次に、図１，図３，図４，図６（ｄ）に示すように、キャスター７…をレール１８，１８で支持しつつ昇降機構６を駆動させて、折り畳んだ状態のリフター本体２を広げた状態にし、ベース５を段差箇所Ｘの下面Ｓ１上に降ろす工程を行う。具体的には、シリンダー１０，１０の駆動を停止してピストン部１０ａを引き戻し自在にする。ピストン部１０ａが引き戻し自在になると、ガススプリング１１…の付勢力によって、ベース５が押し下げられて段差箇所Ｘの下面Ｓ１に接地され、さらに、キャスター７…がレール１８から離れるまで、昇降架台４が上昇される。
最後に、図６（ｅ）に示すように、段差箇所Ｘの下面Ｓ１上に配設された支持台３，３を撤去する工程を行う。これにより、昇降架台４は下降可能になり、リフター１の設置は完了する。
【００２８】
また、設置されたリフター本体２によって資材の荷降ろし、荷揚げを行う場合は、図３，図４に示すように、昇降架台４の上に図示せぬ資材を載せた後、シリンダー１０，１０の駆動操作を行うことで、昇降架台４を昇降させる。具体的には、シリンダー１０，１０を駆動させることで、リフター本体２は折り畳まれた状態になり、昇降架台４は下降する。また、シリンダー１０，１０を停止させることで、ガススプリング１１…の付勢力によって昇降架台４が押し上げられて、リフター本体２は広げられた状態となって昇降架台４は上昇する。なお、シリンダー１０，１０を調整し、シリンダー１０，１０による昇降架台４を下降させる力とガススプリング１１…による昇降架台４を上昇させる力（付勢力）とのバランスをはかることで、昇降架台４を段差箇所Ｘの上面Ｓ２の高さレベルに合わせることができる。
【００２９】
次に、リフター１（リフター本体２）の撤去方法について説明する。
【００３０】
まず、図１，図３，図４，図６（ｅ）に示すように、昇降機構６を操作してリフター本体２を広がった状態にする工程を行う。具体的には、シリンダー１０，１０を停止させ、ガススプリング１１…の付勢力によって昇降架台４を上昇させる。このとき、キャスター７…の下に支持台３，３が設置できる程度の高さまで昇降架台４を上昇させる。
【００３１】
次に、図１，図６（ｄ）に示すように、両側のキャスター７…の下に支持台３，３をそれぞれ設置する。このとき、レール１８，１８上にキャスター７…が載るように位置合わせを行うとともに、キャスター７…の向きもレール１８，１８に合わせておく。
【００３２】
次に、図１，図３，図４，図６（ｃ）に示すように、昇降機構６を操作してリフター本体２を折り畳んだ状態にし、ベース５を持ち上げる工程を行う。具体的には、シリンダー１０，１０を駆動させ、昇降架台４を下降させ、キャスター７…をレール１８，１８上に載置させる。そして、引き続きシリンダー１０，１０を駆動させ、キャスター７…をレール１８，１８上に支持させつつ、ベース５を引き上げてリフター本体２を折り畳んだ状態にする。
【００３３】
次に、図１，図６（ｂ）に示すように、キャスター７…をレール１８，１８に沿って走行させ、折り畳まれたリフター本体２を、段差箇所Ｘの上面Ｓ２上に移動させ、そのまま、昇降機Ｅに載せる。
最後に、図６（ａ）に示すように、図６（ｂ）に示す支持台３，３を撤去し、そして、次に資材の搬入や搬出を行う階まで、昇降機Ｅを昇降させてリフター本体２を使用階まで運ぶ。
【００３４】
上記した構成からなるリフター１によれば、昇降機構６を駆動させるだけで、資材等が載せられた昇降架台４が昇降され、資材の荷降ろしや荷揚げ等が行われるため、リフター本体２によって荷降ろし等のリフト作業を効率良く行うことができる。
また、折り畳んだ状態のリフター本体２はキャスターによって移動可能であるため、リフター本体２を昇降機Ｅに載せるときや、昇降機Ｅからリフター本体２を降ろすときに、リフター本体２を容易に移動させることができ、使用階の段差箇所Ｘまでリフター本体２を容易に運ぶことができる。
また、段差箇所Ｘの上側にある昇降機Ｅに載せられたリフター本体２は、上記した設置手順によって段差箇所Ｘの下面Ｓ１上に設置されるため、所定箇所にリフター本体２を容易に設置させることができる。また、段差箇所Ｘの下面Ｓ１に設置されたリフター本体２は、上記した撤去手順によって、段差箇所Ｘの上側にある昇降機Ｅに載せられるため、リフター本体２を容易に撤去することができる。
このように、リフター本体２を容易に運ぶことができ、且つ、設置・撤去作業を容易に行うことができるため、各階にリフターを設置することなく、使用する階にリフター１を運んで使用することができる。これによって、各階にリフターを設置する場合と比較してコストを低減させることができる。
【００３５】
以上、本発明に係るリフターの実施の形態について説明したが、本発明は上記した実施の形態に限定されるものではなく、その趣旨を逸脱しない範囲で適宜変更可能である。例えば、上記した実施の形態では、資材の荷降ろしや荷揚げの作業を行う場合のリフター１について説明しているが、本発明は、例えば、車椅子等が段差箇所を通過する際に用いるリフターであってもよく、その他の用途に用いるリフターであってもよい。
【００３６】
また、上記した実施の形態では、昇降機構６が、シザース機構９，９と、シリンダー１０，１０と、ガススプリング１１…とを備える構成からなるが、本発明は、シザース機構９，９に代えてパンタグラフ機構を備えた昇降機構であってもよく、或いは、押し引き可能なシリンダーを使用することで、ガススプリング１１…を省略してもよく、或いは、ガススプリング１１…に代えて、材料の弾性を利用して付勢する渦巻きばね等を使用してもよく、その他、昇降機構の構成は適宜変更可能である。
【００３７】
また、上記した実施の形態では、支持台３に備えられたレール１８が段差箇所Ｘの高さレベルに合った位置に取り付けられているが、本発明は、支持台に、レールの高さレベルを調節する高さ調節手段が備えられ、段差箇所の高さに応じてレールの高さレベルを調節することができる構成にしてもよい。例えば、フレームの脚部を伸縮可能な構成とし、このフレームの脚部を伸縮させることでレールの高さレベルを調整してもよい。
【図面の簡単な説明】
【００３８】
【図１】本発明に係るリフターの実施の形態を説明するためのリフターの側面図である。
【図２】本発明に係るリフターの実施の形態を説明するためのリフターの側面図である。
【図３】本発明に係るリフターの実施の形態を説明するためのリフター本体の側面図である。
【図４】本発明に係るリフターの実施の形態を説明するためのリフター本体の側面図である。
【図５】本発明に係るリフターの実施の形態を説明するためのリフター本体の平面図である。
【図６】本発明に係るリフターの実施の形態を説明するためのリフターの設置・撤去方法を表した図である。
【符号の説明】
【００３９】
１  リフター
２  リフター本体
３  支持台
４  昇降架台
５  ベース
６  昇降機構
７  キャスター
Ｓ１  下面（段差下面）
Ｓ２  上面（段差上面）
Ｘ  段差箇所
【図１】
0004793631.tif 000002
【図２】
0004793631.tif 000003
【図３】
0004793631.tif 000004
【図４】
0004793631.tif 000005
【図５】
0004793631.tif 000006
【図６】
0004793631.tif 000007